(57)【特許請求の範囲】
【請求項１】
収集したスカム含有汚水を加圧により空気を溶解させる加圧式空気溶解装置により発生する水とともに浮上誘導手段により浮上分離槽内に噴出させてスカムを同浮上分離槽内に浮上させるとともに浮上したスカムをスカム排出装置により排出するように構成し、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されていて浮上してくるスカムを斜面ガイド付きスカムガイドを介して取り込み可能に構成されている加圧浮上式スカム分離処理装置において、前記浮上誘導手段は、前記収集したスカム含有汚水と加圧により空気を溶解させる加圧式空気溶解装置により発生する水とを混合したものをスカム取込口へ向けて噴上げてスカムを浮上させる浮上誘導パイプを下部を流入側とし上端を流出側とした縦向きの単管状のものとして浮上分離槽の槽本体底面に備えるとともに、該浮上誘導パイプの上側に離れて対応しかつスカム取込口より下方に離れて対応する位置には、そのパイプ上端開口からの浮上分を拡散させる拡散促進盤が逆円錐形あるいは部分球形をなすものとして配置されていることを特徴とする加圧浮上式スカム分離処理装置。
【請求項２】
収集したスカム含有汚水を加圧により空気を溶解させる加圧式空気溶解装置により発生する水とともに浮上誘導手段により浮上分離槽内に噴出させてスカムを同浮上分離槽内に浮上させるとともに浮上したスカムをスカム排出装置により排出するように構成し、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されていて浮上してくるスカムを斜面ガイド付きスカムガイドを介して取り込み可能に構成されている加圧浮上式スカム分離処理装置において、前記加圧式空気溶解装置は、上下を閉じた縦筒式の空気溶解槽を浮上分離槽の外部に独立した加圧水タンクとして配置し、該空気溶解槽には、通孔を有し槽内を横断する状態に受座を備えてその受座に錘式フラップ弁あるいはバネ式の開閉弁などの弁を下向きに付勢して閉止する状態で開閉自在に装備するとともに、空気溶解槽の下端には空気供給源が連通状に接続されまたその出口には空気溶解槽の下部内を横断する状態の空気微細化ユニットが配備されてそのユニットの上方には分離水の入側配管が連通される一方空気溶解槽の上部にはスカム含有汚水へ合流可能な配管である出側配管が連通状に接続されていることを特徴とする加圧浮上式スカム分離処理装置。
【発明の詳細な説明】
【技術分野】
【０００１】  本発明は、加圧浮上式スカム分離処理装置に関する。
【背景技術】
【０００２】  収集したスカム含有汚水を浮上分離槽に導入するに当って加圧によりエアーを溶解させた水を伴って減圧下で噴出させてスカムの浮上を促進させることにより浮上したスカムを上部より排出するようにした加圧浮上方式は既に知られている技術である。そうした技術に関連するものとして、特許文献１に開示された技術がある。
【先行技術文献】
【特許文献】
【０００３】
【特許文献１】特許第４２３８２９７号
【発明の概要】
【発明が解決しようとする課題】
【０００４】  上記特許文献１による技術は、浮上したスカムを加圧浮上濃縮槽（浮上分離槽）に設けられたスカム排出トラフに向けて掻寄せるスクレーパと、前記加圧浮上濃縮槽の槽壁上部で、かつ、湾曲中心位置がその加圧浮上濃縮槽側に位置するように形成された湾曲面と、回転軸を有するとともに、その回転軸に羽根を有する、前記スクレーパで掻寄せられたスカムを前記スカム排出トラフに排出する前記湾曲面近くに設けられた排出機と、前記排出機の回転軸を回転駆動するとともに、その回転数を調整する機能を有する駆動源と、を有することを特徴とする。
このスカム加圧浮上濃縮装置は、浮上したスカムを加圧浮上濃縮槽から排出するとともにこれらのスカムを遠く離れたスカム処理施設へ円滑に搬送できるようにしたものであるが、ここで浮上させたスカムを排出する手段は、掻寄板を外周に突設したチェーンであるスクレーパと、湾曲面に添って運動する掻上羽根付きで回転軸回りを回転する排出機とでなり、排出機からのスカムをスカム排出トラフへ排出するようにしたものであり、従って、浮上したスカムは水分を充分に含んでおりそれをそのまま排出するため、スカム処理施設への搬送に無駄な電力を消費し、しかも搬送先でスカムと水分とを分離する必要が出てくる。【０００５】  そうした問題、即ち、浮上分離槽で浮上するスカムを圧縮作用で水切りしながら掻揚排出することにより排出後の搬送を省エネのもとに可能とししかも搬送先でのスカムと水分との分離工程を極力簡略化することができるようにした加圧浮上式スカム分離処理装置を本出願人は先に提案した（特願２０１２−１８５８３８）。
その提案内容の一つは、図１ないし図３の実施形態として示されている。
この加圧浮上式スカム分離処理装置において、１は浮上分離装置で、上方を開放状とし上からみて矩形槽とした浮上分離槽２を備える。浮上分離槽２は、槽本体３と分離槽５とを仕切り壁４を介して有し、これら槽本体３と分離槽５内には、レベルＨまで汚水６および分離水７が溜められる。８は連通管で、槽本体３と分離槽５とをつなぐパイプで、前後端にフィルター９を備えて浄化された水が分離水７として分離槽５内に導入されるようになっている。１０はオーバーフロー口で、前記水位Ｈを決めるもので、その水位Ｈは可動堰により上下に調節可能としてもよい。分離槽５内の分離水７は、このオーバーフロー口１０を通じて外部に排出される一方、分離槽５の底部からは、給水ポンプ１２の作動により給水管１１を通じて分離水７が引き抜かれ後述する加圧式空気溶解装置４５に導入されるようになっている。【０００６】  槽本体３内の下部には、減圧弁を兼ねた複数のノズル１３を備える供給管１４が槽本体３の前後方向に軸心を向けるようにして単一本あるいは複数本配備されている。槽本体３と分離槽５とでなる浮上分離槽２の上部には、スカム排出装置であるスクリュウコンベア１７が約１５度傾斜した状態で固定設置されている。スクリュウコンベア１７は、内径約３００ｍｍの円筒状をなすケーシング１８を備えるとともに、このケーシング１８の傾斜方向下部一端（テール側）は、閉止したものとされて槽本体３の前側（図１の左側）に固定支持される一方、傾斜方向上部一端（ヘッド側）は、同じく閉止したものとされて浮上分離槽２の後側（図１の右側）に張り出した状態で固定されている。【０００７】  ２０はスカム取込口で、ケーシング１８の傾斜方向下部一端から傾斜方向上方へ離れた下周り位置に下からみると矩形の開口として形成されたもので、汚水６上に浮上してくるスカムＳを取り込むのに適応した位置に設けられている。２２はスクリュウ軸（あるいはパイプ）で、ケーシング１８の中心を通りその両端は軸受で回転自在に支持されるとともに、同スクリュウ軸２２の外周には掻揚スクリュウ２３が設けられている。掻揚スクリュウ２３は、板をラセン状にしたスクリュウ本体２３ａを備え、この本体２３ａは、上端がケーシング１８の上部端から７０ｃｍ程度手前に端部があるように形成されている。【０００８】  本体２３ａのスカム取込口２０に対応する長さ以上の長さＬに亘る周縁部には、前記傾斜方向上方へ向けて突出する掬い揚げ突条２３ｂがラセン帯板として一体に設けられている。ここで、図１、図２および図３の１９はスカムガイドを示す。浮上分離槽２の槽本体３は、その上方を開放したままにしてその槽内全面が水面となるようにして汚水６を溜めておきそこにスカムＳを浮上させる方式にしておくと、スカム取込口２０へのスカムＳの取り込みは消極的なものになる。そこで、汚水６から微細気泡とともに浮上してくるスカムＳをスカム取込口２０に確実かつ積極的に取り込めるようにスカムガイド１９を設けたものである。【０００９】  スカムガイド１９は、図３にその詳細を示すように、前・後の斜面ガイドａ、ｂおよび左・右の斜面ガイドｃによる逆四角錐状のものとされて槽本体３内に周縁を隙間なく接することで固定されている。これら４面の���面ガイドａ〜ｃの上部中央には、四角な連通筒ｅが一体に設けられている。【００１０】  この連通筒ｅは、左右の傾斜板状の対向壁ｆと前後の壁ｇ、ｈとを有する上下貫通状の筒部となっており、対向壁ｆは、図３のケーシング１８のスカム取込口２０の外縁に添って溶接されるように構成される一方、前後のうち前側の壁ｇは低く後側ｈを高くしてその上側に半円より短い円弧形の嵌合受溝ｉ、ｊを形成することで、これら嵌合受溝ｉ、ｊにスカム取込口２０の前後の外縁部が嵌まり込んで溶接されるようになっている。このように連通筒ｅがスカム取込口２０の外縁に適合することで、浮上してきたスカムＳが途中で詰まったりすることなく取り込まれることになる。図１および図２におけるＨは、汚水６の水面を示し、この水面Ｈは、連通筒ｅの嵌合受溝ｊの溝底高さ程度とされている。【００１１】  スクリュウ軸２２の傾斜方向上部周りには、圧縮受盤２６が装備されている。圧縮受盤２６は、掻揚スクリュウ２３によって掻き揚げられてくるスカムを圧縮したのち排出口３５から排出するように反発バネ３３を備えて進退自在なものとされている。排出口３５には、搬送コンベア３６上のコンテナ３７内に圧縮済みのスカムを落とし込むためのシュート３８が設けられている。図１の４０は減速モーターである駆動源（駆動手段）で、伝導手段４１を介してスクリュウ軸２２を図２の矢印方向に回転駆動させるようになっている。【００１２】  図１における４５は加圧式空気溶解装置で、複数の空気溶解槽４６…を備える。各空気溶解槽４６には、並列式の入側配管４７を通じて前記給水管１１が連通されるとともに、出側配管４８とそれをまとめた合流管４９を通じて前記供給管１４に連通式に接続がなされている。各空気溶解槽４６の入側と出側には自動弁５０，５１が設けられている。
空気溶解槽４６内には、その下部一側寄りに空気ノズル５３が設けられ、循環仕切板５４の周りを空気が循環運動しながら内水に空気が溶解するようになっている。空気ノズル５３は、各空気パイプ５５を通じてブロア５６またはコンプレッサーなどの給気手段に接続されている。また、空気パイプ５５のそれぞれには空気自動弁５７が制御自在に設けられている。
６０は汚水受槽で、沈澱池や濃縮槽などからの収集されたスカム含有汚水６１が導入されてくる。同受槽６０と前記合流管４９との間は汚水供給管６２で接続され、その管上には汚水ポンプ６３が設けられている。【００１３】  この加圧浮上式スカム分離処理装置の作用を説明する。入側自動弁５０（空気あるいは電動作動式）を開放したもとで、給水ポンプ１２を運転して分離槽５内の分離水７を一方の空気溶解槽（加圧水タンク）４６へ供給する。次に、一方の空気溶解槽４６に対応する自動弁５７を開くとともにブロア５６あるいはコンプレッサを運転して空気ノズル５３によって微細化空気を空気溶解槽４６内に噴入することにより一方の空気溶解槽４６内の圧力を高めかつ内水を循環流とすることにより微細空気を内水に溶解させる。
その後、汚水ポンプ６３を運転してスカム含有汚水６１を汚水供給管６２まで送ると、それと同時に一方の空気溶解槽４６に対応する出側自動弁５１を開き、それによりスカム含有汚水と空気の溶解した加圧水とを混合させ、その混合したものが、合流管４９および供給管１４からノズル１３…を通じて浮上分離槽２の槽本体３内に減圧された形で送り込まれる。【００１４】  送り込まれた混合水からの微細気泡はスカムを付着して浮上してゆく。浮上したスカムＳは、スカムガイド１９による斜面ガイドにより円滑に案内されながらスカム取込口２０に取り込まれ、掻揚スクリュウ２３に付した掬い揚げ突条２３ｂによる掬い揚げ機能により確実に掬い揚げられることになる。掬い揚げられたスカムＳは、反発バネ３３に抗して圧縮受盤２６を押上げてゆき、脱水作用を受けたのち排出口３５よりシュート３８へと排出される。【００１５】  空気溶解槽４６が複数槽設けられていると、スカム含有汚水が多量化した場合に活用される。即ち、スカム含有汚水が通常量の場合には、一方の空気溶解槽４６のみで充足できるが、多量化した場合にはそれだけでは応じきれないので、他方の空気溶解槽４６も並行して運転し、図例の２本槽の場合には、一方の空気溶解槽４６において給水から加圧溶解をしさらに排出運転がなされる間それに時間差をもって並行して他方の空気溶解槽４６において同じ給水→加圧溶解→排出運転をすることで排出工程を連続して行うことができるものである。例えば、一方の空気溶解槽４６からの排出が終わるタイミングに他方の空気溶解槽４６からの排出開始タイミングを略合わせることで行われる。３本以上の空気溶解槽４６を構成した場合も同様のタイミングを設定する。【００１６】  ところで、図１に示す加圧浮上式スカム分離処理装置においては、スカム含有汚水と空気の溶解した加圧水との混合でなる汚水を、槽本体３に横向きに通した供給管１４に列状に配備の複数のノズル１３…を通じて槽本体３内の広い横断面域に線上分散状になるようにして汚水を噴き上げることでスカムＳを浮上分離させるようにしていたので、広い横断面域の何処をとってみてもスカムＳの浮上分離作用が活発さのない弱いものになってしまい、しかもスカム取込口に集中させて浮上させるのでなく同取込口から離れたところにまで亘るようにしてスカムＳを浮上させるのでそれらのスカムＳは取込口まで浮上して移行するのに一定の時間がかかってしまうことなどにより、スカムＳは完全に浮上状態を維持して取込口を通じて直ぐに取り込まれるのでなく、その殆どは沈降現象を発生することになって、スカムＳの浮上分離が速くかつ多量に得られず、その結果、その後のスクリュウコンベア１７による排出を含む全体の流れとしてスカム回収の効率化が図れないという問題が出てきた。また、ノズル１３による汚水の噴き出し方式は目詰まりを発生するおそれもあり、前記スカムの回収効率の低下の要因にもなっていた。【００１７】  本発明は、こうした問題を解決しようとするものであり、目詰まりの発生なくしてスカムの回収を効率化することができるようにした加圧浮上式スカム分離処理装置を提供することを目的とする。
【課題を解決するための手段】
【００１８】  本発明は上記目的を達成するため、請求項１に記載の発明は、収集したスカム含有汚水を加圧により空気を溶解させる加圧式空気溶解装置により発生する水とともに浮上誘導手段により浮上分離槽内に噴出させてスカムを同浮上分離槽内に浮上させるとともに浮上したスカムをスカム排出装置により排出するように構成し、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されていて浮上してくるスカムを斜面ガイド付きスカムガイドを介して取り込み可能に構成されている加圧浮上式スカム分離処理装置において、前記浮上誘導手段は、前記収集したスカム含有汚水と加圧により空気を溶解させる加圧式空気溶解装置により発生する水とを混合したものをスカム取込口へ向けて噴上げてスカムを浮上させる浮上誘導パイプを下部を流入側とし上端を流出側とした縦向きの単管状のものとして浮上分離槽の槽本体底面に備えるとともに、該浮上誘導パイプの上側に離れて対応しかつスカム取込口より下方に離れて対応する位置には、そのパイプ上端開口からの浮上分を拡散させる拡散促進盤が逆円錐形あるいは部分球形をなすものとして配置されていることを特徴とする。
請求項２に記載の発明は、収集したスカム含有汚水を加圧により空気を溶解させる加圧式空気溶解装置により発生する水とともに浮上誘導手段により浮上分離槽内に噴出させてスカムを同浮上分離槽内に浮上させるとともに浮上したスカムをスカム排出装置により排出するように構成し、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されていて浮上してくるスカムを斜面ガイド付きスカムガイドを介して取り込み可能に構成されている加圧浮上式スカム分離処理装置において、前記加圧式空気溶解装置は、上下を閉じた縦筒式の空気溶解槽を浮上分離槽の外部に独立した加圧水タンクとして配置し、該空気溶解槽には、通孔を有し槽内を横断する状態に受座を備えてその受座に錘式フラップ弁あるいはバネ式の開閉弁などの弁を下向きに付勢して閉止する状態で開閉自在に装備するとともに、空気溶解槽の下端には空気供給源が連通状に接続されまたその出口には空気溶解槽の下部内を横断する状態の空気微細化ユニットが配備されてそのユニットの上方には分離水の入側配管が連通される一方空気溶解槽の上部にはスカム含有汚水へ合流可能な配管である出側配管が連通状に接続されていることを特徴とする。
【発明の効果】
【００１９】  上述したように請求項１に記載の発明は、収集したスカム含有汚水を加圧により空気を溶解させる加圧式空気溶解装置により発生する水とともに浮上誘導手段により浮上分離槽内に噴出させてスカムを同浮上分離槽内に浮上させるとともに浮上したスカムをスカム排出装置により排出するように構成し、前記スカム排出装置は、掻揚スクリュウとスカム取込口付きケーシングおよび掻揚スクリュウ用回転駆動手段とを有し、前記ケーシングは、浮上分離槽において傾斜状に設置されてその傾斜方向下部が浮上分離槽に支持される一方傾斜方向上部が水面より高い浮上分離槽外に位置してケーシングに形成した排出口を通じて掻き揚げスカムを排出可能とされるとともに、前記スカム取込口は、ケーシングにおける傾斜方向下部の下周りにおいて開設されていて浮上してくるスカムを斜面ガイド付きスカムガイドを介して取り込み可能に構成されている加圧浮上式スカム分離処理装置において、前記浮上誘導手段は、前記収集したスカム含有汚水と加圧により空気を溶解させる加圧式空気溶解装置により発生する水とを混合したものをスカム取込口へ向けて噴上げてスカムを浮上させる浮上誘導パイプを下部を流入側とし上端を流出側とした縦向きの単管状のものとして浮上分離槽の槽本体底面に備えるとともに、該浮上誘導パイプの上側に離れて対応しかつスカム取込口より下方に離れて対応する位置には、そのパイプ上端開口からの浮上分を拡散させる拡散促進盤が逆円錐形あるいは部分球形をなすものとして配置されていることを特徴とするので、目詰まりの発生なくしてスカムの回収を効率化することができるようにした加圧浮上式スカム分離処理装置を提供することができる。
【図面の簡単な説明】
【００２０】
【図１】  従来の加圧浮上式スカム分離処理装置の一例を示す断面模式図。
【図２】  図１のＡ部を拡大して示す断面図。
【図３】  図１のスカムガイドの詳細を示す斜視図。
【図４】  本発明の加圧浮上式スカム分離処理装置の一実施形態を示す断面模式図。
【図５】  図４の浮上誘導パイプとスカム取込口との関係を示す斜視図。
【図６】  図４の空気溶解装置の拡大断面図。
【図７】  他の空気溶解装置の実施形態を示す模式断面図。
【図８】  他の実施形態を示す図９のＶＩＩＩ−ＶＩＩＩ線断面図。
【図９】  図８の正面図
【図１０】  他の実施形態を示す一部切欠正面図。
【発明を実施するための形態】
【００２１】  図４は本発明の一実施形態を示している。この実施形態において浮上分離装置１は本発明である一部を除いて図１の従来例と同様であるので同様な部分については同一の符号を付して説明に代える。
浮上分離装置１に組み合わせて構成された空気溶解装置１００は、縦丸（あるいは角）筒式の空気溶解槽（加圧水タンク）１０１を単一個備える。同空気溶解槽１０１は、その内底部に挿脱可能な状態で横断状をなす空気微細化ユニット１０２…を単層状に備え、コンプレッサあるいはブロアなどの空気供給源１０３から空気パイプ１０４・自動弁１０５などを通じて送られる空気を微細化するために設けられている。
【００２２】  そのため、ユニット１０２の１つの単位は、下側から順に粗目・中目・細目・微細目のように複数枚のメッシュを積層状に組み合わせて構成してあり、同ユニット１０２を、例えば、上下に複数（３層など）積層して微細化を確実化するようにしてもよい。尚、この空気溶解槽１０１は複数配列して、図４と同様の回路を並列に接続をして多くの汚水が発生した場合でも処理が可能になるように構成してもよい。
【００２３】  空気溶解槽１０１は、図４にその詳細を示すように、その内部の上部寄りに傾斜状で中央を通孔１０７とした上座面１０８を備えた受座１０９を環状に備えている。受座１０９の下部面１１０は上昇流を阻害しない逆円錐状をしている。上座面１０８上には、傾斜下側のヒンジ１１２に支持を受けて上下に開閉自在なフラップ弁１１３が装備されている。このフラップ弁１１３は、傾斜下側が薄く上側に行く程厚肉の金属盤とされているので、全体としては軽いが左回りの戻りモーメントはできるだけ大きく確保できるようにしてある。このフラップ弁１１３には錘を付してそのウエイト力を増減調節可能にしてもよい。その場合、空気溶解槽１０１の上部を開閉可能にしておく。
【００２４】  １１４はストッパで、フラップ弁１１３を垂直面より手前で止めて復帰可能にするためのものである。１１５は入側配管、１１６は出側配管で、入側配管１１５は、図４のように、給水管１１から自動弁１１７を介して接続された配管で、空気溶解槽１０１の空気微細化ユニット１０２よりも下流側（図の上側）に連通している。出側配管１１６は、空気溶解槽１０１の上部に連通する。空気パイプ１０４からの空気は空気微細化ユニット１０２を通じて微細化されてあと空気溶解槽１０１の主部に導入され、フラップ弁１１３の閉止力の作用するもとで入側配管１１５からの分離水に過飽和溶解してのち、微細空気溶解水の圧力によりフラップ弁１１３が開いて出側配管１１６から排出される。合流管４９には、汚水ポンプ６３を介してスカム含有汚水６１を圧送してくる汚水供給管６２が接続されている一方、合流管４９の末端には、槽本体３の底部に垂直に通された供給管１１１が接続されている。空気溶解槽１０１は縦筒状でその内部で分離水（供給水）が上昇しながら微細空気を過飽和溶解してゆくようにしているので、横筒式のものに比べてより多くの微細空気が容易に溶解してゆくものである。
【００２５】  尚、図６の右欄に示すように、ヒンジ１１２は右上がりに備えた受座１０９の傾斜上側に配置し、フラップ弁１１３を同ヒンジ１１２から下がり傾斜状に備えて開閉自在にしてもよい。このフラップ弁１１３は脱着可能なウエイト１１３ａを備えてその重さの異なるものを交換自在にしたり同じウエイト１１３ａであってもフラップ弁１１３の面に沿った移動調節により負荷モーメントを変更自在にすることができる。
【００２６】  図７は他の空気溶解装置１２０を示す。
１２１は空気溶解槽、１２２は空気微細化ユニット、１２３は空気パイプ、１２４は入側配管、１２５は出側配管を示す。１２６は受座で、その通孔１２７は樹脂などの軽い開閉弁１２８により開閉自在にしてある。開閉弁１２８は、バネ外ガイド１２９とバネ内ガイド１３０とで案内されたコイル状バネ１３１により弾発されて閉止される一方、下方からの微細空気溶解水の圧力により圧縮されて開閉弁１２８を開くようにする。開閉弁１２８は、その弁軸を前記バネ内ガイド１３０に進退自在に案内して安定な動作が確保されるようにしてある。図６および図７の入側配管１１５，１２４はユニット１０２，１２２よりも下流側に連通させているので、微細化済み後の空気が分離水に混合しやすくなる。空気溶解槽１０１は縦筒状でその内部で分離水（供給水）が上昇しながら微細空気を過飽和溶解してゆくようにしているので、横筒式のものに比べてより多くの微細空気が容易に溶解してゆくものである。
【００２７】  尚、図７の右欄に示すように、前記左側の空気溶解装置１２０とは逆様態様の装置１２０にしてもよい。即ち、空気溶解槽１２１の上部内に空気微細化ユニット１２２を備えて上端から空気パイプ１２３を経由して圧縮空気を導入するとともに、ユニット１２２の下側には分離水を供給可能に構成してある。受座１２６と開閉弁１２８とは空気溶解槽１２１の下部側に配置し、この場合はバネ１３１を吊上げて支持するため吊りバー１３２を横架して設けてある。出側配管１２５は開閉弁１２８の出側である下部に連通している。
【００２８】  一方、浮上分離装置１の槽本体３内には、同本体３の底面を介して図５のような丸形で単管状の浮上誘導パイプ１３５が垂直に立設され、その上端開口はスカム取込口２０に向くように設定されている。浮上誘導パイプ１３５の上端とスカム取込口２０とは同心とされているが、完全同心を基準にしてそれから多少偏心した関係のものはここに同心状という概念に含まれるものとする。浮上誘導パイプ１３５の上端部には図５のような逆円錐状をした拡開部１３６が形成されていて２０ｍ／ｓｅｃ前後の速度で噴上げ浮上した汚水が急速に拡がることでスカムＳを発生しやすくするようにしてある。１３７は逆円錐形あるいは部分球形をした拡散促進盤で、浮上誘導パイプ１３５の上端開口より直上に対向配置されており、これにより、浮上してくる汚水を急速に拡散させてスカムＳを多量にかつ確実に発生させるようにしてもよい。尚、パイプ１３５は内径２００〜３００φとされ取込口２０と略同一径あるいは１００φ程度細くされる。
【００２９】  １１１は前記供給管で、合流管４９の末端を構成するとともに浮上誘導パイプ１３５の下部中央内に垂直に臨み、合流水が浮上誘導パイプ１３５内に噴出され浮上されるようになっている。この場合、図５の左欄のように、供給管１１１は、１本あるいは複数本として螺旋流を発生可能なように槽本体３の底面に対し斜めに指向させてもよい。浮上後の拡散に伴うスカムＳの発生効果が上がる。また、浮上誘導パイプ１３５については、図５の右欄のように四角などの角筒状にしてもよい。角筒状の浮上誘導パイプ１３５に左欄の螺旋流発生用の供給管１１１を組み合わせれば螺旋流が発生するとともに上昇途中で螺旋流の抑えられた直上流化して浮上しスカムＳの拡散が抑えられながら集塊状に発生して回収効率を高めることができる。
【００３０】  尚、図４に示すように、オーバーフロー口１０については、丸孔でなく上下に長い長孔状にして、そのフロー高さを変え得る可変型仕切板１３８を昇降調節自在に備えてレベルＨを変更可能にしておくことができる。このようにレベルＨを変え得るようにしておくと、スカム取込口２０へのスカムＳの発生状況を制御してより好ましい形でスカムＳを得ることができるようになる。
【００３１】  尚、浮上誘導パイプ１３５は、図４の実線のように上下に直管状になっているが、仮想線のようにエルボ状になっていてもよい。仮想線の部分が供給管の部分とされることもある。また、図８および図９に示すように、槽本体３の底面から丸あるいは四角形などの角筒状をした浮上誘導パイプ１４０を立設して、その上端開口をスカム取込口２０に同心状に対応させることでスカムＳをスカム取込口２０に集束的に発生し取り込まれるように構成したもので、特に、スカムＳの発生に積極的に拡散作用を持たせるため浮上誘導パイプ１４０内に螺旋ガイド１４１を備えるとともに供給管１４２も斜めに臨むように配備したものである。尚、中心パイプ１４３の上端には、図９に仮想線で示すように、螺旋流を拡大流としてスカムＳの発生をさらに助長するための拡散ガイド１４４を備えてもよい。
【００３２】  さらに、図１０は他の実施形態を示すもので、浮上誘導パイプ１４７を上部拡大状でなく逆に絞り型にしてスカム取込口２０に向かうように同心状に立設配置して供給管１４８に接続するとともに、浮上誘導パイプ１４７内には、加速化するための内パイプ１４９を同心状に固定して、供給管１４８からの汚水が筒状空間をできるだけ速く上昇して一旦絞ってのち逆に急速な拡散化作用を得ることによって多くのスカムＳが確実にかつ集塊状に発生するようにしたものである。尚、浮上誘導パイプ１４７の上端縁にはＶ字あるいはＵ字などの切り欠き１５０によりスカムＳの発生を助長するようにしてあるがそれは省略することがある。また、前記のように絞られた浮上汚水の拡散を助けるため拡散盤１５１を備えることができる。浮上汚水を真上に発生させる場合には、この拡散盤１５１を省略する場合もある。
尚、供給管１４８は、図１０に仮想線で示すように、浮上誘導パイプ１１３内に斜めに連通させて螺旋流を発生させ得るようにしてスカムＳの発生をより多くかつ確実に発生させるようにしてもよい。
【符号の説明】
【００３３】  １…浮上分離装置  ２…浮上分離槽  ３…槽本体  ５…分離槽  １７…スクリュウコンベア  ２０…スカム取込口  ２２…スクリュウ軸  ２３…掻揚スクリュウ  ３５…排出口  ４０…駆動源（駆動手段）  １００，１２０…加圧式空気溶解装置  １０１、１２１…空気溶解槽  １３５，１４０，１４７…浮上誘導パイプ。
【要約】      （修正有）【課題】目詰まりの発生なくしてスカムの回収を効率化することができるようにした加圧浮上式スカム分離処理装置を提供すること。【解決手段】収集したスカム含有汚水を加圧式空気溶解装置１００により発生する水とともに浮上分離槽２内に噴出させてスカムを浮上させるとともに浮上したスカムを掻揚スクリュウ１７と傾斜状に設置され、スカム取込口２０はケーシングにおける傾斜方向下部の下周りにおいて開設されて浮上してくるスカムを斜面ガイド付きスカムガイドを介して取り込み可能に構成されている加圧浮上式スカム分離処理装置において、浮上誘導手段は収集したスカム含有汚水と加圧により空気を溶解させる加圧式空気溶解装置により発生する水とを混合したものをスカム取込口へ向けて噴上げてスカムを浮上させる単管状の浮上誘導パイプを備えていることを特徴とする。【選択図】図４【図１】
0005577521.tif 000002
【図２】
0005577521.tif 000003
【図３】
0005577521.tif 000004
【図４】
0005577521.tif 000005
【図５】
0005577521.tif 000006
【図６】
0005577521.tif 000007
【図７】
0005577521.tif 000008
【図８】
0005577521.tif 000009
【図９】
0005577521.tif 000010
【図１０】
0005577521.tif 000011